(57)【特許請求の範囲】
【請求項１】
ボウルの溜水部の裏面とこの溜水部から突出する排水筒部の外周面のうち、一部にシート状発熱体が取り付けられており、封水用トラップに連通する前記排水筒部の略全周に、前記ボウルよりも熱伝導性に優れた非自己発熱性のシートが取り付けられており、前記シート状発熱体と前記シートが部分的に接触していることを特徴とする水洗便器。
【請求項２】
前記シート状発熱体が、前記排水筒部の下側の前記外周面に取り付けられていることを特徴とする請求項１に記載の水洗便器。
【請求項３】
前記溜水部の前記裏面と前記排水筒部の前記外周面のうち、少なくとも前記シート状発熱体と前記シートが取り付けられている箇所が、断熱材で外側から覆われていることを特徴とする請求項１または２に記載の水洗便器。
【発明の詳細な説明】
【技術分野】
【０００１】
本発明は、ボウル内の溜水の凍結を抑制することのできる水洗便器に関するものである。
【背景技術】
【０００２】
従来から、特許文献１等によって、ボウルの溜水部の裏面にシート状発熱体を取り付け、これによりボウル内の溜水の凍結を抑制する水洗便器が提案されている。
【先行技術文献】
【特許文献】
【０００３】
【特許文献１】特開２００７−２５５１５７号公報
【発明の概要】
【発明が解決しようとする課題】
【０００４】
しかし、上述のシート状発熱体を他の外形のボウルに取り付けた場合、ボウル内の溜水を十分に温めることができないおそれがある。
【０００５】
ボウルの外形に対応した専用形状のシート状発熱体を用いることも考えられるが、ボウル毎に専用のシート状発熱体を形成するのは、コスト面等で問題がある。
【０００６】
そこで、上記事情を鑑みて、本発明は、多様なタイプのボウルにも簡単に対応してこれを温めることができ、ボウル内の溜水の凍結を抑制することのできる水洗便器を提案することを課題とする。
【課題を解決するための手段】
【０００７】
上記課題を解決するために本発明の水洗便器は、ボウルの溜水部の裏面とこの溜水部から突出する排水筒部の外周面のうち、一部にシート状発熱体が取り付けられており、封水用トラップに連通する前記排水筒部の略全周に、前記ボウルよりも熱伝導性に優れた非自己発熱性のシートが取り付けられており、前記シート状発熱体と前記シートが部分的に接触していることを特徴とする。
【０００８】
また、前記シート状発熱体が、前記排水筒部の下側の前記外周面に取り付けられていることが好ましい。
【０００９】
また、前記溜水部の前記裏面と前記排水筒部の前記外周面のうち、少なくとも前記シート状発熱体と前記シートが取り付けられている箇所が、断熱材で外側から覆われていることが好ましい。
【発明の効果】
【００１０】
本発明の水洗便器は、多様なタイプのボウルにも簡単に対応してこれを温めることができ、ボウル内の溜水の凍結を抑制できる。
【図面の簡単な説明】
【００１１】
【図１】本発明の第一実施形態の水洗便器のボウルを示す側面図である。
【図２】本発明の第二実施形態の水洗便器のボウルを示す側断面図である。
【発明を実施するための形態】
【００１２】
本発明を添付図面に示す実施形態に基づいて説明する。本発明の水洗便器１は、ボウル内の溜水が凍結するおそれのある寒冷地などで好適に用いられる。
【００１３】
第一実施形態の水洗便器１は、図１に示すように、ボウル２と、ボウル２に連通するように接続される封水用トラップ６と、ボウル２内側に水を供給する水供給部（図示せず）とを備える。水洗便器１は、一般的な洋式便器であり、図示していないが、ボウル２を内側上部に支持する平断面略Ｃ字状のスカートや、床面に載置されてこのスカートを支持する金属製の支持フレームや、支持フレームに支持される便器付設装置等を備える。便器付設装置は、局部洗浄用の温水洗浄装置、乾燥装置、及び脱臭装置等である。
【００１４】
ボウル２は、合成樹脂製であり、ボウル２の下部には、水供給部から供給された水が溜められる溜水部２０を備えている。この溜水部２０の底部には、後方に向けて突出した筒状の排水筒部２２を形成している。溜水部２０と排水筒部２２とは連通しており、この排水筒部２２の下流端は、封水用トラップ６に連通するように接続されている。排水筒部２２は、節水のため、突出長さが短くなるように形成されている。なお、ボウル２は陶器製であってもかまわない。
【００１５】
封水用トラップ６は、下流端が上下に回動する回動式トラップであり、下流端が上方に回動して封水状態となり、下流端が下方に回動して排水状態となる。なお、封水用トラップ６は、下流端が回動しない固定式の排水トラップであってもかまわない。
【００１６】
水洗便器１には、ボウル２内に溜めた水の凍結を防止するため、ボウル２の溜水部２０の外側の面である裏面２１と排水筒部２２の外周面２３のうち、一部にシート状発熱体３を取り付けている。そして、溜水部２０の裏面２１と排水筒部２２の外周面２３のうち、シート状発熱体３を取り付けた箇所とは異なる箇所に、ボウル２よりも熱伝導性に優れた非自己発熱性のシート４を取り付けている。このシート状発熱体３とシート４とは、部分的に接触させている。
【００１７】
詳しくは、図１に示すように、溜水部２０の後部の裏面２１から排水筒部２２の下側の外周面２３に至る箇所と、溜水部２０の前部の裏面２１とに、シート状発熱体３を下側から取り付けている。そして、排水筒部２２の外周面２３の略全周に亘って、シート４を上側から取り付け、排水筒部２２の下側において、シート４の外側にシート状発熱体３を重ねている。シート状発熱体３及びシート４は、接着剤等によって取り付けられる。この接着剤は熱伝導性に優れたものであることが好ましい。
【００１８】
シート状発熱体３は、矩形や円形等の所定形状のシートであり、発熱して取り付けた箇所を温めることができる。シート状発熱体３としては、シートに電熱線を張り巡らせて取り付けたものや、シートに温水が流れるチューブを張り巡らせて取り付けたものや、シートに導電性の高い粒子を含ませたもの等が挙げられる。
【００１９】
シート４は、ボウル２よりも熱伝導性に優れた金属フィルム等のシートであり、シート状発熱体３に接触することで、シート状発熱体３の熱が伝達され、これにより取り付けた箇所を温めることができる。なお、シート４は、ボウル２よりも熱伝導性に優れた樹脂性のフィルムであってもよい。シート４は、取り付け箇所に合わせて切断したり、取り付け箇所の凹凸に沿うように変形することができる。本実施形態では、シート４は、シート状発熱体３に比べて安価で、且つ電熱線や温水チューブ等がないため切断や変形がしやすいものとなっている。
【００２０】
図１には、取り付け先である排水筒部２２の外周面２３の面形状に合わせて切断したシート４を外周面２３に貼り付け、このシート４をシート状発熱体３に部分的に重ねた例が示されている。このようにボウル２の外形に合わせてシート４を切断し、この切断したシート４の配置を調整することで、シート状発熱体３とシート４とで構成されるヒータ部を、ボウル２の外形に簡単に対応させることができる。これにより、様々なタイプのボウル２に簡単に対応してボウル２を温め、ボウル２内の溜水の凍結を抑制できる。また、ボウル２の外形に対応した専用形状のシート状発熱体３をボウル２毎に形成する必要がないので、簡単に且つ安価に様々なタイプのボウル２に対応させることができる。
【００２１】
また、本実施形態では、シート状発熱体３及びシート４によって、排水筒部２２の外周面２３の略全体を覆っている。これにより排水筒部２２の外周面２３の略全体を温めることができる。そのため、溜水部２０に比べて容量が小さく凍結の起こりやすい排水筒部２２を十分に温めることができ、この排水筒部２２内での凍結の発生をより確実に抑制できる。また、溜水部２０の前部と後部それぞれの裏面２１に取り付けたシート状発熱体３によって溜水部２０を温めることができ、この溜水部２０内での凍結の発生も抑制できる。
【００２２】
また、本実施形態では、節水のため排水筒部２２の突出長さが短くなっており、そのため排水筒部２２の上部の外周面２３が狭く、この箇所には所定形状のシート状発熱体３を貼り付けることが難しい。しかし、こういった狭い箇所にも、切断して形状を調整したシート４を取り付けることができる。すなわち、ボウル２は所望の箇所にシート４を取り付けることができるため、ボウル２を効率的に温めることができ、これによりボウル２内の溜水の凍結を抑制できる。
【００２３】
なお、上述のように取り付け先の面形状に合わせてシート４を切断しなくとも、シート４を変形させて、排水筒部２２の外周面２３から排水筒部２２上方の溜水部２０の裏面２１まで沿うように取り付けてもかまわない。このようにシート４を取り付け先の面形状に合わせて切断するという手間を省くことで、より簡単に様々なタイプのボウル２の外形に対応させることができる。
【００２４】
また、上述した実施形態では、シート状発熱体３とシート４とを重ねて接触させていたが、シート状発熱体３とシート４とを離して配置し、シート状発熱体３とシート４とを他の熱伝達手段で繋いで部分的に接触するようにしてもかまわない。
【００２５】
また、溜水部２０の裏面２１や排水筒部２２の外周面２３が凹凸面となっており、シート状発熱体３を沿わせにくい場合には、比較的取り付けやすい箇所にシート状発熱体３を取り付け、凹凸面にシート４を沿わせるようにすればよい。このようにすることで、狭い箇所だけでなく凹凸面等もシート４によって温めることができ、ボウル２を広く温めることができる。
【００２６】
続いて、本発明の第二実施形態の水洗便器１について説明する。なお、第一実施形態の水洗便器１と同様の構成については、図中に同じ符号を付けて詳しい説明を省略し、異なる構成についてのみ詳しく説明する。
【００２７】
第二実施形態の水洗便器１では、溜水部２０の裏面２１と排水筒部２２の外周面２３のうち、少なくともシート状発熱体３とシート４とを取り付けた箇所を、断熱材５で外側から覆っている。
【００２８】
詳しくは、図２に示すように、溜水部２０の裏面２１全体と排水筒部２２の外周面２３全体を、断熱材５で外側から覆っている。シート状発熱体３及びシート４は、断熱材５と溜水部２０の裏面２１の間、及び断熱材５と排水筒部２２の外周面２３の間に配置されている。断熱材５は、シート状発熱体３とシート４から若干離れた箇所に配置されている。これにより、断熱材５と溜水部２０の裏面２１の間、及び断熱材５と排水筒部２２の外周面２３の間に空気層を設けて断熱性を高めると共に、断熱材５がシート状発熱体３やシート４に接触して溶けないようにしている。
【００２９】
本実施形態では、断熱材５によって、シート状発熱体３及びシート４が、ボウル２の外側の外気によって冷やされることを抑制できる。また、断熱材５と溜水部２０の裏面２１の間の空間、及び断熱材５と排水筒部２２の外周面２３の間の空間が、シート状発熱体３とシート４からの熱によって温められ、結果、この空間に臨む溜水部２０の裏面２１全体と排水筒部２２の外周面２３全体を温めることができる。以上のように、本実施形態では、断熱材５を設けたことで、溜水部２０内及び排水筒部２２内での凍結防止効果を第一実施形態の水洗便器１に比べてさらに向上させることができる。
【００３０】
なお、図示していないが、断熱材５にボウル２側に向けて突出する突起部を形成し、この突起部によってシート状発熱体３及びシート４を、溜水部２０の裏面２１及び排水筒部２２の外周面２３にそれぞれ押し当てるようにしてもよい。この突起部は、シート状発熱体３やシート４と接触しても溶けない素材で形成される。このように突起部により押し付けることで、シート状発熱体３やシート４がボウル２から外れて断熱材５に接触することを抑制できる。また、突起部の長さを設定することで、シート状発熱体３及びシート４と断熱材５との距離を簡単に設定できる。
【００３１】
以上まとめると、第一及び第二実施形態の水洗便器１では、ボウル２の溜水部２０の裏面２１とこの溜水部２０から突出する排水筒部２２の外周面２３のうち、一部にシート状発熱体３を取り付けている。そして、この裏面２１と外周面２３のうち、シート状発熱体３を取り付けた箇所とは異なる箇所に、ボウル２よりも熱伝導性に優れた非自己発熱性のシート４を取り付けている。そして、このシート状発熱体３とシート４とを部分的に接触させている。
【００３２】
このようにシート状発熱体３とは別に、この熱が伝達されるシート４を設けるようにしたことで、第一及び第二実施形態の水洗便器１では、ボウル２の外形に合わせて、シート４の配置を調整できる。このようにシート４の配置を調整することにより、簡単に多様なタイプのボウル２に対応でき、ボウル２をシート状発熱体３とシート４とで効率良く温めて、ボウル２内の溜水の凍結を抑制できる。また、ボウル２毎に専用形状のシート状発熱体３を形成する必要もないため、これによりコストが嵩むことも抑制できる。
【００３３】
また、第一及び第二実施形態の水洗便器１では、シート状発熱体３を排水筒部２２の下側の外周面２３に取り付けるとともに、シート４を排水筒部２２の上側の外周面２３に取り付け、シート状発熱体３とシート４とを部分的に重ねて接触させている。
【００３４】
このような構成とすることで、溜水部２０に比べて容量が小さく凍結の起こりやすい排水筒部２２の外周面２３を、シート状発熱体３とシート４によって上下から温めることができる。これにより、排水筒部２２内での凍結をより確実に抑制できる。また、シート４とシート状発熱体３とを重ねて接触するようにしたことで、このシート状発熱体３とシート４間で熱を伝達させるための構成を別途設ける必要がなく、構成を簡素化できる。
【００３５】
また、第二実施形態の水洗便器１では、溜水部２０の裏面２１と排水筒部２２の外周面２３のうち、少なくともシート状発熱体３とシート４とを取り付けた箇所を、断熱材５で外側から覆っている。
【００３６】
このような構成とすることで、シート状発熱体３やその熱が伝達されたシート４が、ボウル２外側の空気によって冷やされることを抑制できる。これによりシート状発熱体３とシート４によって溜水部２０と排水筒部２２とを効率良く温めることができ、凍結防止効果がさらに向上する。
【００３７】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００３８】
１      水洗便器
２      ボウル
３      シート状発熱体
４      シート
５      断熱材
２０    溜水部
２１    裏面
２２    排水筒部
２３    外周面
【図１】
0005942316.tif 000002
【図２】
0005942316.tif 000003